(57)【要約】【課題】低消費電力化を実現できる表示制御回路、及び表示装置を提供する。【解決手段】本発明に係る表示制御回路は、表示画像データ記憶装置２１７、比較器２１８、比較結果記憶装置２２０、比較結果記憶装置制御部２１９、表示画像データ記憶装置制御部２１６、データラッチ部２２１を備える。記憶装置読み出し表示モード時には、表示画像データ記憶装置２１７に対して表示画像データを読み出す第１動作と、データラッチ部２２１に保持されている１ライン前に表示した表示画像データを再度表示するように読み込む第２動作と、表示画像データ記憶装置制御部２１６に保持されている１読み出し前の表示画像データをデータラッチ部２２１に取り込む第３動作を具備する。【選択図】図１
2011209601.tif 000002
【特許請求の範囲】
【請求項１】
表示パネルに接続され、表示画像データ記憶装置を有する表示制御回路であって、
前記表示画像データ記憶装置から読み出されたライン方向、カラム方向の隣接間表示画像データを比較する比較器と、
前記比較器にて比較された結果を格納する比較結果記憶装置と、
前記比較結果記憶装置に対してアクセス制御を行う比較結果記憶装置制御部と、
前記比較結果記憶装置から読み出した比較結果に従って、前記表示画像データ記憶装置のアクセス制御を行う表示画像データ記憶装置制御部と、
前記比較結果に従って表示する表示画像データを選択して、１ライン分の表示画像データを保持するデータラッチ部とを備え、
前記表示パネルに対して、任意の画像を表示させる通常表示モードと、前記表示画像データ記憶装置に格納された画像を表示させる記憶装置読み出し表示モードとが切り替え可能になっており、
前記記憶装置読み出し表示モードは、
前記表示画像データ記憶装置制御部から前記表示画像データ記憶装置に対して表示画像データを読み出す第１動作と、
前記データラッチ部に保持されている１ライン前に表示した表示画像データを再度表示するよう読み出す第２動作と、
前記表示画像データ記憶装置制御部に保持されている１読み出し前の表示画像データを前記データラッチ部に取り込む第３動作を行う構成を具備する表示制御回路。
【請求項２】
前記第２動作は、前記比較結果記憶装置制御部にて前記比較結果記憶装置から読み出された前記ライン方向の比較結果が一致した場合の動作であり、
前記第３動作は、前記ライン方向の比較結果が不一致でカラム方向の比較結果が一致の場合であって、かつ、前記１カラム前に読み出した表示画像データが前記表示画像データ記憶装置制御部に保持されている場合の動作であることを特徴とする請求項１に記載の表示制御回路。
【請求項３】
前記データラッチ部は、
前記通常表示モードか前記記憶装置読み出し表示モードかに応じて、表示する表示画像データを選択して出力するモード切替用セレクタ群と、
前記比較結果記憶制御部から出力される前記ライン方向の比較結果に従って表示する表示画像データを選択して出力する比較結果用セレクタ群と、
前記比較結果用セレクタ群から出力される表示画像データを取り込みラッチタイミングに従って１ライン分保持して出力する取込ラッチ群と、
前記取込ラッチ群から出力される表示画像データを表示タイミングに同期して表示画像データを出力する同期化ラッチ群とを具備し、
前記第２動作においては、前記比較結果用セレクタ群は、前記取込ラッチ群に保持されている１ライン前に表示した表示画像データを選択し、前記同期化ラッチ群に出力して表示するように構成され、
前記第３動作においては、前記モード切替用セレクタ群から出力される表示画像データを選択し、前記取込ラッチ群に取り込み、かつ前記同期化ラッチ群に出力して表示するように構成されたことを特徴とする請求項１又は２に記載の表示制御回路。
【請求項４】
前記比較結果記憶装置は、
ライン方向の隣接間表示画像データの比較結果を格納するライン方向比較結果記憶装置と、
カラム方向の隣接間表示画像データの比較結果を格納するカラム方向比較結果記憶装置とを具備することを特徴とする請求項１〜３のいずれか１項に記載の表示制御回路。
【請求項５】
表示パネルに対して、任意の画像を表示させる通常表示モードと、表示画像データ記憶装置に格納された画像を表示させる記憶装置読み出し表示モードとが切り替え可能な表示装置の表示制御方法であって、
前記記憶装置読み出し表示モードにおいては、表示する表示画像データと、当該表示画像データの１ライン前、１カラム前の表示画像データとを比較器にて比較し、
その比較結果を比較結果記憶装置に格納し、
前記比較結果記憶装置から読み出されたライン方向の比較結果が一致していれば、データラッチ部に保持されている１ライン前に表示した表示画像データを再度表示するように、前記表示パネルに出力し、
前記ライン方向の比較結果が不一致でカラム方向の比較結果が一致であれば、前記表示画像データ記憶装置制御部に保持されている１読み出し前の表示画像データを前記データラッチ部に取り込んで、前記表示パネルに出力し、
上記いずれにも該当しない場合には、前記表示画像データ記憶装置に対して表示画像データを読み出して、前記表示パネルに出力する表示装置の表示制御方法。
【請求項６】
請求項１〜４のいずれか１項に記載された表示制御回路を搭載した表示装置。
【発明の詳細な説明】
【技術分野】
【０００１】
本発明は、液晶ディスプレイ等の画像表示装置を駆動する表示制御回路、及び表示装置の表示制御方法に関する。また、前記表示制御回路を搭載した表示装置に関する。
【背景技術】
【０００２】
近年、携帯電話をはじめとした液晶表示装置を具備したモバイル機器等において、バッテリー駆動による長時間動作を実現する技術が強く求められ、精力的な研究が行われている。特許文献１〜５においては、低消費電力化を実現する方法が提案されている。
【０００３】
図１０に、特許文献５に開示された表示装置の液晶ドライバのブロック図を示す。図１０中の１０１は表示装置用駆動回路である液晶ドライバ、１０２は液晶パネルである。液晶パネル１０２は、データ線と薄膜トランジスタ（ＴＦＴ：Thin Film Transistor）を介して接続された画素電極と、共通電極との間に挟持された液晶画素が、複数の走査線と複数のデータ線の交点にマトリクス状に配列された、いわゆるアクティブマトリクス型の液晶パネルである。また、図１０中の１０３は液晶パネル１０２の走査線を駆動するゲートドライバであり、１０４は液晶パネル１０２や他の外部装置を制御するＭＰＵである。
【０００４】
液晶ドライバ１０１は、システムインターフェース（ＩＦ）１０５、設定レジスタ１０６、外部表示インターフェース（ＩＦ）１０７、アドレスカウンタ１０８、タイミング生成部１０９、パーシャル用記憶装置１１０を具備する。また、液晶ドライバ１０１は、マルチプレクサ１１１、マスクスイッチ１１２、モードスイッチ１１３、交流化回路１１４、取り込みラッチ１１５、同期化ラッチ１１６、データ線駆動部（ＤＡＣ）１１７も具備する。パーシャル用記憶装置１１０は、表示画像データを記憶する装置として機能する。
【０００５】
次に、図１０を用いつつ、ＭＰＵ１０４、液晶ドライバ１０１、液晶パネル１０２の動作について説明する。ＭＰＵ１０４は、液晶パネル１０２に画像を表示するための表示画像データ、動作モード等の各種コマンド、液晶パネル１０２の各駆動用パラメータを液晶ドライバ１０１に転送する。各駆動用パラメータには、パネルインターフェース制御や駆動電圧制御の他、低消費電力で使用されるパーシャル表示モード時の表示タイミング、パーシャル表示の領域設定や、パーシャル表示の領域以外の領域に表示するパターンの設定等がある。各駆動用パラメータは、システムインターフェース（ＩＦ）１０５より設定レジスタ１０６へ格納される。動作モード等の各種コマンドには、内部クロックの発振開始、液晶パネル１０２への電源供給のタイミングや、表示画像データ記憶装置１１０へデータを転送開始する等の他、パーシャル用記憶装置１１０内の表示データを表示するパーシャル表示有効コマンドがある。
【０００６】
ＭＰＵ１０４から転送される表示画像データ、各種コマンド、各駆動用パラメータは、表示装置が搭載されているシステムにおける外部からの操作、環境や状況によってあらかじめプログラミングされたシーケンスに従い、ＭＰＵ１０４により実行される。
【０００７】
液晶パネル１０２の表示領域の全領域に表示する通常表示モード時は、ＭＰＵ１０４から通常表示用画像データを外部表示インターフェース（ＩＦ）１０７へ、液晶パネル１０２の表示タイミングに同期したタイミング信号と共に随時入力する。そして、モードスイッチ１１３で、外部表示インターフェース（ＩＦ）１０７からの表示画像データを選択する。また、交流化回路１１４にて、交流に対応した表示画像データへ変換し、取り込みラッチ１１５にて、表示１ライン分のデータをバッファリングする。さらに、同期化ラッチ１１６で、ゲートドライバ１０３の走査タイミングに同期させて、ソース線駆動部（ＤＡＣ）１１７でデジタルデータからデータ線を駆動するアナログ電圧に変換する。これらのフローを経て液晶パネル１０２に表示画像データが表示される。モードスイッチ１１３は、ＭＰＵ１０４からの制御により、設定レジスタ１０６内の通常表示モードかパーシャル表示モードかを設定するレジスタを通常表示モードへ設定することで制御を行う。
【０００８】
次に、パーシャル表示モード時の動作について説明する。ＭＰＵ１０４から表示画像データ更新時に、パーシャル表示画像データの更新コマンドをシステムインターフェース（ＩＦ）１０５へ入力し、アドレスカウンタ１０８のアドレス制御によって、一旦、パーシャル用記憶装置１１０に格納する。
【０００９】
パーシャル用記憶装置１１０に格納されたパーシャル表示画像データは、設定レジスタ１０６に格納された出力タイミングとパーシャル表示領域設定により、タイミング生成部１０９で生成されたパーシャル表示タイミング（信号）１１８でパーシャル用記憶装置１１０から読み出される。それをマルチプレクサ１１１にてパーシャル表示領域のタイミングに合わせて、パーシャル表示画像データをマスクスイッチ１１２に転送する。
【００１０】
マスクスイッチ１１２から出力された表示画像データは、モードスイッチ１１３で選択され、以後は通常表示モード時と同様に、交流化回路１１４、取り込みラッチ１１５、同期化ラッチ１１６、ソース線駆動部（ＤＡＣ）１１７で処理を行い、液晶パネル１０２に表示画像データを表示させる。
【００１１】
図１１は、一般的な液晶ドライバ概略構成図（特許文献６）であり、液晶ドライバの一般的なレイアウト構成について示すものである。図１１の液晶ドライバは、一般的に長方形の平面形状を特徴としており、データラッチ部やソース線駆動部を含む液晶駆動出力部１００３、液晶ドライバを制御する回路や表示メモリを含む制御回路部１００４が配置される。
【００１２】
液晶駆動出力部１００３は、液晶ドライバの形状やソース出力端子Ｙ１〜Ｙ３８４に合わせて、長辺方向に１出力毎駆動回路が配置されるため、制御回路部１００４から液晶駆動出力部１００３までの制御配線や表示画像データ転送バス配線は長辺方向に沿って配線される。
【先行技術文献】
【特許文献】
【００１３】
【特許文献１】特開２０００−２８４７５６号公報
【特許文献２】特開２００２−１４９１２２号公報
【特許文献３】特開２００３−１８６４４５号公報
【特許文献４】特開２００６−１２６３５３号公報
【特許文献５】特開２００７−３１００４７号公報  第１図、第６−９頁
【特許文献６】特開２００５−１０７２３９  第２図  第６−７頁
【発明の概要】
【発明が解決しようとする課題】
【００１４】
上記特許文献５においては、パーシャル用記憶装置からの表示画像データの読み出し時やデータ転送動作時に多くの電流を消費するという問題があった。これは、上述したように液晶ドライバの形状が長方形形状ゆえ、パーシャル用記憶装置からデータラッチ部までの表示画像データ転送のためのバス配線長が長くなり、転送する表示画像データがハイからロウ、またはロウからハイへ変化する毎に、バス配線容量の充放電電流が多く生じてしまうことに起因する。また、パーシャル用記憶装置に格納された表示画像データの更新有無や表示画像データの内容に関わらず、常に決まったタイミングで読み出し動作やデータ転送動作を続けるため、無駄な電流を消費してしまうことに起因する。
【課題を解決するための手段】
【００１５】
本発明に係る表示制御回路は、表示パネルに接続され、表示画像データ記憶装置を有する表示制御回路であって、前記表示画像データ記憶装置から読み出されたライン方向、カラム方向の隣接間表示画像データを比較する比較器と、前記比較器にて比較された結果を格納する比較結果記憶装置と、前記比較結果記憶装置に対してアクセス制御を行う比較結果記憶装置制御部と、前記比較結果記憶装置から読み出した比較結果に従って、前記表示画像データ記憶装置のアクセス制御を行う表示画像データ記憶装置制御部と、前記比較結果に従って表示する表示画像データを選択して、１ライン分の表示画像データを保持するデータラッチ部とを備える。前記表示パネルに対して、任意の画像を表示させる通常表示モードと、前記表示画像データ記憶装置に格納された画像を表示させる記憶装置読み出し表示モードとが切り替え可能になっており、前記記憶装置読み出し表示モードは、前記表示画像データ記憶装置制御部から前記表示画像データ記憶装置に対して表示画像データを読み出す第１動作と、前記データラッチ部に保持されている１ライン前に表示した表示画像データを再度表示するように読みだす第２動作と、前記表示画像データ記憶装置制御部に保持されている１読み出し前の表示画像データを前記データラッチ部に取り込む第３動作を具備する。
【００１６】
本発明に係る表示制御回路によれば、記憶装置読み出し表示モードに、上記第１動作〜第３動作のパターンを設けているので、表示画像データ記憶装置に対して読み出しを行う際に生じる電流や、読み出した表示画像データをデータラッチ部へ転送する際に生じる電流を削減することができる。その結果、低消費電流化を実現することができる。また、記憶装置読み出し表示モードに、上記第１動作〜第３動作のパターンを設けているので、表示画像データ記憶装置制御部からデータラッチ部までの表示画像データ転送バスのハイからロウ、またはロウからハイへの変化が抑えられる。その結果、表示制御回路のＥＭＩノイズを低減することができる。
【００１７】
本発明に係る表示装置の表示制御方法は、表示パネルに対して、任意の画像を表示させる通常表示モードと、表示画像データ記憶装置に格納された画像を表示させる記憶装置読み出し表示モードとが切り替え可能な表示装置の表示制御方法であって、前記記憶装置読み出し表示モードにおいては、表示する表示画像データと、当該表示画像データの１ライン前、１カラム前の表示画像データとを比較器にて比較し、その比較結果を比較結果記憶装置に格納し、前記比較結果記憶装置から読み出されたライン方向の比較結果が一致していれば、データラッチ部に保持されている１ライン前に表示した表示画像データを再度表示するように、前記表示パネルに出力し、前記ライン方向の比較結果が不一致でカラム方向の比較結果が一致であれば、前記表示画像データ記憶装置制御部に保持されている１読み出し前の表示画像データを前記データラッチ部に取り込んで、前記表示パネルに出力し、上記いずれにも該当しない場合には、前記表示画像データ記憶装置に対して表示画像データを読み出して、前記表示パネルに出力するものである。
【００１８】
本発明に係る表示装置は、上記態様の表示制御回路を搭載したものである。
【発明の効果】
【００１９】
本発明によれば、低消費電力化を実現できる表示制御回路、及び表示制御方法、並びに表示装置を提供することができるという優れた効果を有する。
【図面の簡単な説明】
【００２０】
【図１】本実施形態に係る表示装置の液晶ドライバのブロック構成、及び外部装置との接続関係を示す図である。
【図２】本実施形態に係る表示画像データ記憶装置の読み出し単位毎のアドレス構成図である。
【図３Ａ】本実施形態に係る読み出し単位毎のライン方向の比較構成図である。
【図３Ｂ】本実施形態に係るライン方向比較結果記憶装置のアドレス構成の説明図である。
【図４Ａ】本実施形態に係る読み出し単位毎のカラム方向の比較構成図である。
【図４Ｂ】本実施形態に係るカラム方向比較結果記憶装置のアドレス構成の説明図である。
【図５】本実施形態に係るデータラッチ部の構成、及びその接続関係を示す図である。
【図６】本実施形態に係る表示モード移行時のタイミングチャートである。
【図７】本実施形態に係る表示画像データ記憶装置更新時のタイミングチャートである。
【図８】本実施形態に係る比較結果ライトモード時のタイミングチャートである。
【図９】本実施形態に係る比較結果リードモード時のタイミングチャートである。
【図１０】特許文献５に開示された表示装置の液晶ドライバのブロック構成、及び外部装置との接続関係を示す図である。
【図１１】特許文献６に開示された液晶ドライバ概略構成図である。
【発明を実施するための形態】
【００２１】
以下、本発明を適用した実施形態の一例について説明する。なお、本発明の趣旨に合致する限り、他の実施形態も本発明の範疇に属し得ることは言うまでもない。また、以降の図における各部材のサイズや比率は、説明の便宜上のものであり、実際のものとは異なる。
【００２２】
図１は、本実施形態に係る表示装置の液晶ドライバのブロック構成、及び外部装置の接続関係を示す図である。本実施形態に係る表示装置は、図１に示すように、表示制御回路である液晶ドライバ２０１、アクティブマトリクス型の表示パネルとして機能する液晶パネル２０２、液晶パネル２０２の走査線を駆動するゲートドライバ２０３、液晶ドライバ２０１や他の外部装置を制御するＭＰＵ２０４を具備する。
【００２３】
ＭＰＵ２０４は、外部装置を制御する信号類を液晶ドライバ２０１に出力する。ＭＰＵ２０４からの制御のための信号類は、液晶ドライバ２０１に入力される。液晶ドライバ２０１は、液晶パネル２０２のソース線を駆動するための信号を液晶パネル２０２に出力し、液晶パネル２０２の走査線制御信号をゲートドライバ２０３に出力する。走査線制御信号が入力されたゲートドライバ２０３は、液晶パネル２０２の走査線を駆動するための信号を液晶パネル２０２に出力する。
【００２４】
液晶ドライバ２０１は、ＭＰＵインターフェース２１１、レジスタ制御部２１２、アドレス制御部２１３、外部表示インターフェース２１４、表示タイミング制御部２１５を具備する。また、液晶ドライバ２０１は、表示画像データ記憶装置制御部２１６、表示画像データ記憶装置２１７、比較器２１８、比較結果記憶装置制御部２１９、比較結果記憶装置２２０、データラッチ部２２１、ソース線駆動部（ＤＡＣ）２２６も備える。液晶ドライバ２０１において、任意の画像を表示させる通常表示モードと、表示画像データ記憶装置に格納された画像を表示させる記憶装置読み出し表示モードが切り替え可能になっている。
【００２５】
ＭＰＵインターフェース２１１には、ＭＰＵ２０４から出力される信号類が入力される。具体的には、表示モードコマンド、各種パラメータ等のレジスタ設定情報、表示画像データ記憶装置２１７のアクセス命令、格納する表示画像データ等である。表示モード情報やレジスタ設定情報が、ＭＰＵインターフェース２１１からレジスタ制御部２１２に出力される。一方、表示画像データ記憶装置２１７へのアクセス命令、及び格納する表示画像データは、ＭＰＵインターフェース２１１からアドレス制御部２１３に出力される。
【００２６】
レジスタ制御部２１２は、ＭＰＵインターフェース２１１から出力される表示モード情報やレジスタ設定情報を入力とする構成になっている。また、レジスタ制御部２１２は、表示タイミング制御部２１５に対して表示モード情報やレジスタ設定情報を出力し、アドレス制御部２１３に対してアドレス領域用レジスタ設定情報を出力する構成になっている。
【００２７】
アドレス制御部２１３は、ＭＰＵインターフェース２１１から出力される表示画像データ記憶装置２１７のアクセス命令や、格納する表示画像データを入力とする構成になっている。また、アドレス制御部２１３は、レジスタ制御部２１２から出力されるアドレス領域用レジスタ設定情報を入力とする構成になっている。アドレス制御部２１３は、アドレスを生成後、表示画像データ記憶装置制御部２１６に対して表示画像データ記憶装置２１７のアクセス命令やアドレス情報、格納する表示画像データを出力する構成になっている。
【００２８】
外部表示インターフェース２１４は、ＭＰＵ２０４から出力される通常表示を行うための表示画像データと水平垂直同期信号を入力とし、データラッチ部２２１に対して通常表示用画像データ２３１を出力する構成になっている。また、外部表示インターフェース２１４は、表示タイミング制御部２１５に対して水平垂直同期信号を出力する構成になっている。なお、本明細書において、ＭＰＵ２０４より外部表示インターフェース２１４を介して表示するモードを「通常表示モード」と称す。また、表示画像データ記憶装置２１７から表示画像データを読み出して表示するモードを「記憶装置読み出し表示モード」と称す。
【００２９】
表示タイミング制御部２１５は、レジスタ制御部２１２から出力される表示モード情報やレジスタ設定情報を入力とし、外部表示インターフェース２１４から出力される水平垂直同期信号を入力とする構成になっている。また、表示タイミング制御部２１５は、液晶パネル２０２の走査線を駆動するゲートドライバ２０３に対して制御信号を出力する構成になっている。さらに、表示タイミング制御部２１５は、表示画像データ記憶装置２１７に格納されている表示画像データを表示するために、表示画像データ記憶装置制御部２１６と比較結果記憶装置制御部２１９に対して、読み出し命令やアドレス情報を出力する構成になっている。そして、表示タイミング制御部２１５は、データラッチ部２２１に対して通常表示モードで使用する通常表示用画像データ２３１か、または記憶装置読み出し表示モードで使用する記憶装置読み出し表示用画像データ２３２かを切り替える表示モード信号２３３、表示画像データの転送タイミングに合わせた取込ラッチ信号群２３５、表示タイミングに応じた同期化ラッチ信号２３６を出力する構成になっている。
【００３０】
表示画像データ記憶装置制御部２１６への入力は、以下のとおりである。すなわち、アドレス制御部２１３から出力された表示画像データ記憶装置２１７のアクセス命令やアドレス情報、格納する表示画像データ、表示タイミング制御部２１５から出力される表示画像データ記憶装置２１７の読み出し命令やアドレス情報である。さらに、比較結果記憶装置制御部２１９より出力される読み出し用ライン方向比較結果信号群３２３、読み出し用カラム方向比較結果信号群３２４と表示画像データ記憶装置２１７の読み出しデータである。
【００３１】
表示画像データ記憶装置制御部２１６は、表示画像データ記憶装置２１７に表示画像データリード信号３１１やアドレス信号３１２を出力する構成になっている。また、表示画像データ記憶装置制御部２１６は、表示画像データ記憶装置２１７から読み出した表示画像データをデータラッチ部２２１と比較器２１８に出力し、表示画像データ記憶装置２１７への書き込みデータを出力する構成になっている。
【００３２】
比較器２１８は、表示画像データ記憶装置制御部２１６から出力された表示画像データを入力とする構成になっている。また、比較器２１８は、ライン方向、カラム方向の表示画像データ比較を行い、ライン方向の比較結果信号、カラム方向の比較結果信号を比較結果記憶装置制御部２１９に出力する構成になっている。
【００３３】
比較結果記憶装置２２０は、ライン方向比較結果記憶装置２５５とカラム方向比較結果記憶装置２６５を備え、ライン方向の比較結果、カラム方向の比較結果の記憶を行う役割を担う。
【００３４】
ライン方向比較結果記憶装置２５５は、比較結果ライト信号３２１、比較結果リード信号３２２、書き込み用ライン方向比較結果信号群３１５を入力とする構成になっている。また、ライン方向比較結果記憶装置２５５は、比較結果ライト信号３２１に従って、書き込み用ライン方向比較結果信号群３１５を格納し、比較結果リード信号３２２に従って、格納されているライン方向比較結果信号群を出力する構成になっている。
【００３５】
カラム方向比較結果記憶装置２６５は、比較結果ライト信号３２１、比較結果リード信号３２２、書き込み用カラム方向比較結果信号群３１６を入力とする構成になっている。また、カラム方向比較結果記憶装置２６５は、比較結果ライト信号３２１に従って、書き込み用カラム方向比較結果信号群３１６を格納し、比較結果リード信号３２２に従って、格納されているカラム方向比較結果信号群を出力する構成になっている。
【００３６】
比較結果記憶装置制御部２１９は、比較器２１８から出力されるライン方向の比較結果信号、カラム方向の比較結果信号を入力とし、表示タイミング制御部２１５から出力される比較結果記憶装置２２０のアクセス命令やアドレス情報を入力とする構成になっている。また、比較結果記憶装置制御部２１９は、書き込み用ライン方向比較結果信号群３１５、書き込み用カラム方向比較結果信号群３１６を比較結果記憶装置２２０へ書き込むように構成されている。さらに、比較結果記憶装置２２０から読み出された比較結果を取り込み、読み出し用ライン方向比較結果信号群３２３を表示画像データ記憶装置制御部２１６とデータラッチ部２２１へ出力し、読み出し用カラム方向比較結果信号群３２４を表示画像データ記憶装置制御部２１６へ出力する構成になっている。
【００３７】
データラッチ部２２１は、モード切替用セレクタ群２２２、比較結果用セレクタ群２２３、取込ラッチ群２２４、同期化ラッチ群２２５を具備する。データラッチ部２２１は、表示タイミング制御部２１５から出力される各種制御信号、外部表示インターフェース２１４から出力される通常表示用画像データ２３１、表示画像データ記憶装置制御部２１６から出力される記憶装置読み出し表示用画像データ２３２、比較結果記憶装置制御部２１９より出力される読み出し用ライン方向比較結果信号群３２３を入力とする構成になっている。また、データラッチ部２２１は、表示画像データを1ライン分取り込んで表示タイミングと同期させ、ソース線駆動部（ＤＡＣ）２２６へ表示画像データを出力する構成になっている。
【００３８】
モード切替用セレクタ群２２２は、通常表示用画像データ２３１、記憶装置読み出し表示用画像データ２３２、表示モード信号２３３を入力とする構成になっている。また、モード切替用セレクタ群２２２は、表示モード信号２３３により、通常表示用画像データ２３１か記憶装置読み出し表示用画像データ２３２を選択し、選択された表示画像データを出力する構成になっている。
【００３９】
比較結果用セレクタ群２２３は、読み出し用ライン方向比較結果信号群３２３とモード切替用セレクタ群２２２から出力される表示画像データと取込ラッチ群２２４にラッチされている取込ラッチ済表示画像データ２３８を入力とする構成になっている。また、比較結果用セレクタ群２２３は、読み出し用ライン方向比較結果信号群３２３により、モード切替用セレクタ群２２２から出力される表示画像データか、取込ラッチ済表示画像データ２３８かを選択し、選択された表示画像データを出力する構成になっている。
【００４０】
取込ラッチ群２２４は、比較結果用セレクタ群２２３から出力される表示画像データと取込ラッチ信号群２３５を入力とする構成になっている。また、取込ラッチ群２２４は、比較結果用セレクタ群２２３から出力される表示画像データを取込ラッチ信号群２３５でラッチし、取込ラッチ済表示画像データ２３８を出力する構成となっている。
【００４１】
同期化ラッチ群２２５は、取込ラッチ群２２４から出力される取込ラッチ済表示画像データ２３８と同期化ラッチ信号２３６を入力とする構成になっている。そして、同期化ラッチ群２２５は、取込ラッチ済表示画像データ２３８を同期化ラッチ信号２３６でラッチし、ラッチされた表示画像データを出力する構成となっている。
【００４２】
ソース線駆動部（ＤＡＣ）２２６は、データラッチ部２２１より出力された表示画像データを入力とする構成になっている。そして、ソース線駆動部（ＤＡＣ）２２６は、デジタルデータからアナログデータへ変換し、液晶パネル２０２のソース線を駆動するためのアナログ電圧を液晶パネル２０２に出力する構成になっている。
【００４３】
通常表示モード時には、画像表示データをＭＰＵ２０４から外部表示インターフェース２１４に、液晶パネル２０２の表示タイミングに同期したタイミング信号とともに随時入力する。そして、モード切替用セレクタ群２２２で、外部表示インターフェース２１４からの表示データを選択する。次いで、比較結果用セレクタ群２２３を介して取り込みラッチ群２２４にて、比較結果用セレクタ群２２３から出力される表示画像データを取込ラッチ信号群２３５でラッチする。続いて、同期化ラッチ群２２５で、ゲートドライバ２０３の走査タイミングに同期させて、ソース線駆動部（ＤＡＣ）２２６でデジタルデータからアナログ電圧に変換し、液晶パネル２０２に表示データを表示させる。
【００４４】
次に、表示画像データ記憶装置に格納された画像を表示させる記憶装置読み出し表示モードについて詳述する。図２に、本実施形態に係る表示画像データ記憶装置２１７の読み出し単位毎のアドレス構成図を示す。表示画像データ記憶装置２１７は、ｍラインのライン方向アドレス（Ｌ１〜Ｌｍ）とｎカラムのカラム方向アドレス（Ｃ１〜Ｃｎ）により表示画像データを読み出す構成になっている（ｍ、ｎは１以上の整数）。
【００４５】
１読み出し単位の表示画像データ２４２は、ｋビットからなる（ｋは、1以上の整数）。ただし、ｋは、１ビット≦ｋ≦１ライン分のビット数である。
表示画像データ記憶装置２１７のサイズは、式（１）で表せる。
〈数１〉  表示画像データ記憶装置２１７のサイズ＝ｋ×ｍ×ｎビット  ・・・式（１）
【００４６】
図３Ａに、本実施形態に係る読み出し単位毎のライン方向比較構成の説明図を示す。表示画像データ記憶装置２１７は、図２に示すように、Ｌ１〜ＬｍのラインとＣ１〜Ｃｎのカラムで構成されている。図３Ａには、アドレス（Ｃ２、Ｌ１）のビット構成２５１、アドレス（Ｃ２、Ｌ２）のビット構成２５２、ライン方向の各ビット比較結果２５３、ライン方向の全ビット比較結果２５４が図示されている。
【００４７】
ライン方向の全ビット比較結果２５４は、ライン方向の各ビット比較結果２５３がすべて一致であれば、比較結果はハイ（一致）と認識し、１ビットでも不一致があれば比較結果はロウ（不一致）となる。
【００４８】
図３Ｂに、ライン方向比較結果記憶装置２５５のアドレス構成の説明図を示す。ライン方向比較結果記憶装置２５５は、Ｌｍ＿１（表示画像データ記憶装置２１７のラインアドレスＬｍとＬ１の比較結果を格納するアドレス）〜Ｌｍ−１＿ｍ（表示画像データ記憶装置２１７のラインアドレスＬｍ−１とＬｍの比較結果を格納するアドレス）のｍラインとＣ１〜Ｃｎのｎカラムで構成される。
【００４９】
ライン方向比較結果記憶単位２５６は、ライン方向の全ビット比較結果２５４が格納される。ライン方向比較結果記憶装置２５５のサイズは、１×ｍ×ｎビットとなり、表示画像データ記憶装置２１７のサイズに対して、下記式（２）で表わされる（式（１）参照）。
〈数２〉  ライン方向比較結果記憶装置２５５のサイズ
＝１／ｋ×（表示画像データ記憶装置２１７のサイズ）        ・・・式（２）
【００５０】
図４Ａに、本実施形態に係る読み出し単位毎のカラム方向比較構成の説明図を示す。表示画像データ記憶装置２１７は、Ｌ１〜ＬｍのラインとＣ１〜Ｃｎのカラムで構成されている。図４Ａには、アドレス（Ｃ２、Ｌ２）のビット構成２６１、アドレス（Ｃ３、Ｌ２）のビット構成２６２、カラム方向の各ビット比較結果２６３、カラム方向の全ビット比較結果２６４が図示されている。
【００５１】
カラム方向の全ビット比較結果２６４は、カラム方向の各ビット比較結果２６３がすべて一致であれば、比較結果はハイ（一致）と認識し、１ビットでも不一致があれば比較結果はロウ（不一致）となる。
【００５２】
図４Ｂに、カラム方向比較結果記憶装置２６６のアドレス構成の説明図を示す。カラム方向比較結果記憶装置２６６は、Ｌ１〜ＬｍのｍラインとＣ１＿２（表示画像データ記憶装置２１７のカラムアドレスＣ１とＣ２の比較結果を格納するアドレス）〜Ｃｎ−１＿ｎ（表示画像データ記憶装置２１７のカラムアドレスＣｎ−１とＣｎの比較結果を格納するアドレス）のｎ−１カラムで構成される。
【００５３】
カラム方向比較結果記憶単位２６６は、カラム方向の全ビット比較結果２６４が格納される。カラム方向比較結果記憶装置２６５のサイズは、１×ｍ×（ｎ−１）ビットとなり、表示画像データ記憶装置２１７のサイズに対して、下記式（３）で表わされる（式（１）参照）。
〈数３〉
カラム方向比較結果記憶装置２６６のサイズ
＝（１／ｋ）×（（ｎ−１）／ｎ）×（表示画像データ記憶装置２１７のサイズ）
・・・式（３）
【００５４】
図５は、本実施形態に係るデータラッチ部２２１の構成、及びその接続関係を説明するための図である。表示画像データ記憶装置制御部２１６が、表示画像データ記憶装置２１７に対して表示画像データの読み出しを行った場合、読み出された表示画像データは、記憶装置読み出し表示用画像データラッチ信号２３９によってラッチ動作を行う。このため、データラッチ部２２１に出力される記憶装置読み出し表示用画像データ２３２は、常に１読み出し前の表示画像データが保持される構成になっている。記憶装置読み出し表示用画像データ２３２のバス幅は、図２の１読み出し単位の表示画像データ２４２のビット幅と同じになるため、ｋビットのバス幅で構成される。
【００５５】
データラッチ部２２１内のモード切替用セレクタ群２２２は、通常表示用画像データ２３１、記憶装置読み出し表示用画像データ２３２、表示モード信号２３３を入力とする構成になっている。モード切替用セレクタ群２２２は、表示モード信号２３３により、通常表示用画像データ２３１か記憶装置読み出し表示用画像データ２３２のいずれかを選択し、選択された表示用画像データを出力する構成になっている。
【００５６】
データラッチ部２２１内の比較結果用セレクタ群２２３は、読み出し用ライン方向比較結果信号群３２３、モード切替用セレクタ群２２２から出力される表示画像データ、取込ラッチ群２２４にラッチされている取込ラッチ済表示画像データ２３８を入力とする構成になっている。比較結果用セレクタ群２２３は、読み出し用ライン方向比較結果信号群３２３により、モード切替用セレクタ群２２２から出力される表示画像データか取込ラッチ済表示画像データ２３８のいずれかを選択し、選択された表示画像データを出力する構成になっている。
【００５７】
データラッチ部２２１内の取込ラッチ群２２４は、比較結果用セレクタ群２２３から出力される表示画像データと取込ラッチ信号群２３５を入力とする構成になっている。取込ラッチ群２２４においては、比較結果用セレクタ群２２３から出力される表示画像データを取込ラッチ信号群２３５でラッチする。そして、取込ラッチ群２２４から、取込ラッチ済表示画像データ２３８が出力される。ラッチされた取込ラッチ済表示画像データ２３８は、次のラインの動作開始まで保持されているため、取込ラッチ群２２４には、常に１ライン前の表示画像データが保持される。
【００５８】
データラッチ部２２１内の同期化ラッチ群２２５は、取込ラッチ群２２４から出力される取込ラッチ済表示画像データ２３８と同期化ラッチ信号２３６を入力とする構成になっている。同期化ラッチ群２２５において、取込ラッチ済表示画像データ２３８を液晶パネル表示タイミングに従って同期化ラッチ信号２３６でラッチする。そして、同期化ラッチ群２２５から、ラッチされた表示画像データがソース線駆動部（ＤＡＣ）２２６に出力される。
【００５９】
データラッチ部ユニット単位２３７は、表示画像データ記憶装置２１７から読み出されるビット幅と同じになるため、ｋビットで構成される。データラッチ部２２１のデータラッチ部ユニット単位２３７は、図２で示すカラムアドレスの個数分必要となるため、ｎ個設けられている。
【００６０】
次に、表示画像データ記憶装置２１７に対して表示画像データの更新を行う際の動作を、図１を参照しつつ説明する。
【００６１】
ＭＰＵ２０４は、表示画像データ記憶装置２１７に格納される表示画像データを更新するために、液晶ドライバ２０１に表示画像データ記憶装置２１７の更新命令と、更新表示画像データの転送を行う。
【００６２】
表示画像データ記憶装置制御部２１６は、ＭＰＵインターフェース２１１とアドレス制御部２１３を介して、ＭＰＵ２０４から表示画像データ記憶装置２１７に対する更新命令、アドレス情報、更新表示画像データを受信する。そして、表示画像データ記憶装置制御部２１６は、表示画像データを表示画像データ記憶装置２１７に書き込む。
【００６３】
図６は、本実施形態に係る表示モード移行時のタイミングチャートであり、通常表示モード１０から記憶装置読み出し表示モード２０へ移行した時の記憶装置制御モードの動作を説明する。同図中のコマンド３０１は、ＭＰＵ２０４からの表示モードコマンドであり、表示モード信号２３３は、通常表示モード１０、または記憶装置読み出し表示モード２０を示す信号である。また、垂直同期フラグ３０４は、各フレームの先頭フラグであり、記憶装置制御モード３０５は、表示画像データ記憶装置制御部２１６と比較結果記憶装置制御部２１９の制御モードを示す。
【００６４】
通常表示モード１０から記憶装置読み出し表示モード２０へ移行する場合には、記憶装置読み出し表示モード２０へのモード移行コマンドが、ＭＰＵ２０４から液晶ドライバ２０１に発行される。ＭＰＵインターフェース２１１が記憶装置読み出し表示モード２０へのモード移行コマンドを受信した後、レジスタ制御部２１２に表示モード情報が格納される。そして、レジスタ制御部２１２から、表示タイミング制御部２１５に表示モード情報が出力される。表示タイミング制御部２１５に表示モード情報が入力された場合、表示モード信号３０３は垂直同期フラグ３０４に同期する。そして、図６中のＴ１１のタイミングで記憶装置読み出し表示モード２０と認識する。同時にＴ１１のタイミングから始まるフレーム動作の最初の１フレーム期間を比較結果ライトモード２７１と認識し、２フレーム以降を比較結果リードモード２７２と認識する。
【００６５】
図７は、本実施形態に係る表示画像データ記憶装置更新時のタイミングチャートであり、記憶装置読み出し表示モード２０中に表示画像データ記憶装置２１７の表示画像データが更新された時の記憶装置制御モードの動作を説明する。同図中の表示画像データ記憶装置更新状態３０２は、表示画像データ記憶装置２１７の更新状態を表している。
【００６６】
図７において、記憶装置読み出し表示モード２０中にＭＰＵ２０４より表示画像データ記憶装置２１７に対して表示画像データの更新命令が発行された場合は、Ｔ１６のタイミングで表示画像データ記憶装置２１７に対する更新が開始され、Ｔ１７のタイミングで更新が完了する。更新が完了した後にＴ１８から始まるフレーム動作の最初の１フレーム期間を比較結果ライトモード２７１と認識し、２フレーム目以降を比較結果リードモード２７２と認識する。
【００６７】
図８は、本実施形態に係る比較結果ライトモード時のタイミングチャートであり、図６及び図７の比較結果ライトモード２７１時の動作を説明する。図８においては、比較結果ライトモード２７１における３ライン目のタイミング例を示すが、他のラインの動作も同様となる。
【００６８】
比較結果ライトモード２７１は、通常表示モードから記憶装置読み出し表示モードへ移行した場合、または表示画像データ記憶装置２１７に対して表示画像データが更新された場合に、比較結果記憶装置２２０への比較結果の更新を行うモードである。また、比較結果ライトモード２７１は、取込ラッチ群２２４に保持されている取込ラッチ済表示画像データ２３８の更新を行い、液晶パネルに表示するモードである。
【００６９】
図８中、Ｔ２１は、１ライン分の動作期間を表し、Ｔ２２は、表示画像データ記憶装置２１７に対するアクセス期間を表す。また、Ｔ２３は、比較結果記憶装置２２０に対するアクセス期間を表す。
【００７０】
表示画像データリード信号３１１は、表示画像データ記憶装置２１７に対するリードクロックであり、アドレス信号３１２は、表示画像データ記憶装置２１７のアドレスである。また、取込ラッチタイミング３１４は、データラッチ部２２１内の取込ラッチ群２２４でラッチされるタイミングである。また、書き込み用ライン方向比較結果信号群３１５は、表示画像データリード信号３１１にて読み出された表示画像データを、比較器２１８にてライン方向の全ビット比較処理を行い、比較結果記憶装置制御部２１９にて比較結果記憶装置２２０に格納するために生成された比較結果群である。
【００７１】
さらに、書き込み用カラム方向比較結果信号群３１６は、表示画像データリード信号３１１にて読み出された表示画像データを比較器２１８にてカラム方向の全ビット比較処理を行い、比較結果記憶装置制御部２１９にて比較結果記憶装置２２０に格納するために生成された比較結果群である。また、比較結果ライト信号３２１は、比較結果記憶装置２２０に対するライトクロックを表している。
【００７２】
比較結果ライトモード２７１は、Ｔ２２において表示画像データ記憶装置制御部２１６が表示すべきライン（３ライン目）の１ライン前（２ライン目）の表示画像データを読み出す期間であるＴ２４と表示すべきライン（３ライン目）の表示画像データを読み出す期間であるＴ２５を交互に繰り返す。
【００７３】
表示すべきライン（３ライン目）のアドレスにて読み出された表示画像データは、図５の記憶装置読み出し表示用画像データ２３２へ一旦ラッチされる。そして、取込ラッチタイミング３１４に従って取込ラッチ群２２４にラッチされ、同期化ラッチ群２２５で表示タイミングに合わせてソース線駆動部（ＤＡＣ）２２６へ出力する。次いで、Ｄ／Ａ変換後にアナログ電圧を出力することで、液晶パネル２０２への表示動作を行う。
【００７４】
同時に、比較器２１８は、Ｔ２２において読み出された表示画像データを用いて１ライン前、１カラム前との表示画像データ比較動作を行う。
【００７５】
その後、比較結果記憶装置制御部２１９は、比較器２１８にて比較された結果をＴ２３まで保持し、比較結果ライト信号３２１のタイミングにより比較結果記憶装置２２０に比較結果を書き込む。
【００７６】
図９は、本実施形態に係る比較結果リードモード時のタイミングチャートであり、図６及び図７の比較結果リードモード２７２時の動作を説明する。図９においては、比較結果リードモード２７２における３ライン目のタイミング例を示すが、他のラインの動作も同様となる。
【００７７】
図９中のＴ３１は、１ライン分の動作期間を表し、Ｔ３２は、表示画像データ記憶装置２１７に対するアクセス期間を表す。また、Ｔ３３は比較結果記憶装置２２０に対するアクセス期間を表す。
【００７８】
比較結果リード信号３２２は、比較結果記憶装置２２０に対するリードクロックであり、読み出し用ライン方向比較結果信号群３２３は、比較結果リード信号３２２にて読み出されたライン方向比較結果群を比較結果記憶装置制御部２１９で取り込んだ信号群である。また、読み出し用カラム方向比較結果信号群３２４は、比較結果リード信号３２２にて読み出されたカラム方向比較結果群を比較結果記憶装置制御部２１９で取り込んだ信号群である。
【００７９】
比較結果リードモード２７２は、Ｔ３３において比較結果記憶装置制御部２１９が比較結果リード信号３２２を用いて比較結果記憶装置２２０から比較結果を読み出し、読み出し用ライン方向比較結果信号群３２３と読み出し用カラム方向比較結果信号群３２４を出力する。
【００８０】
Ｔ３２は、Ｔ３３で読み出し用ライン方向比較結果信号群３２３と読み出し用カラム方向比較結果信号群３２４の比較結果に基づいて、Ｔ３４〜Ｔ３８の動作を行う。
【００８１】
Ｔ３４においては、比較結果記憶装置２２０から読み出されたライン方向比較結果は一致を示し、カラム方向比較結果は不一致を示している。このため、表示画像データ記憶装置２１７から読み出すべき表示画像データは、１ライン前の表示画像データと同じ表示画像データとなる。従って、表示画像データ記憶装置制御部２１６は、表示画像データ記憶装置２１７からの読み出しを停止する。図５に示す取込ラッチ群２２４は、読み出し用ライン方向比較結果信号群３２３を用いて、１ライン前の表示画像データを保持している取込ラッチ済表示画像データ２３８を比較結果用セレクタ群２２３で選択し、取込ラッチタイミング３１４に従ってラッチ動作を行う。換言すると、Ｔ３４においては、データラッチ部２２１に保持されている１ライン前に表示した表示画像データを再度表示する「第２動作２」を行う。
【００８２】
Ｔ３５においては、比較結果記憶装置２２０から読み出されたライン方向比較結果は不一致を示し、カラム方向比較結果は不一致を示している。このため、表示画像データ記憶装置制御部２１６は、表示画像データ記憶装置２１７から表示画像データを読み出し、記憶装置読み出し表示用画像データ２３２の更新を行う。図５に示す取込ラッチ群２２４は、読み出し用ライン方向比較結果信号群３２３を用いて、記憶装置読み出し表示用画像データ２３２を比較結果用セレクタ群２２３で選択し、取込ラッチタイミング３１４に従ってラッチ動作を行う。換言すると、Ｔ３５においては、表示画像データ記憶装置制御部２１６から表示画像データ記憶装置２１７に対して表示画像データを読み出す「第１動作１」を行う。
【００８３】
Ｔ３６においては、比較結果記憶装置２２０から読み出されたライン方向比較結果は不一致を示し、カラム方向比較結果は一致を示している。このため、表示画像データ記憶装置２１７から読み出すべき表示画像データは、Ｔ３５で読み出している１カラム前の表示画像データと同じ表示画像データとなる。従って、表示画像データ記憶装置制御部２１６は、表示画像データ記憶装置２１７からの読み出しを停止する。図５に示す取込ラッチ群２２４は、読み出し用ライン方向比較結果信号群３２３を用いて、Ｔ３５で読み出している１読み出し前の表示画像データを保持している記憶装置読み出し表示用画像データ２３２を比較結果用セレクタ群２２３で選択し、取込ラッチタイミング３１４に従ってラッチ動作を行う。換言すると、Ｔ３６においては、表示画像データ記憶装置制御部２１６に保持されている１読み出し前の表示画像データをデータラッチ部２２１に取り込む「第３動作３」を行う。
【００８４】
Ｔ３７においては、比較結果記憶装置２２０から読み出されたライン方向比較結果は一致を示し、カラム方向比較結果は不一致を示している。このため、Ｔ３４と同様の動作を行う。
【００８５】
Ｔ３８においては、比較結果記憶装置２２０から読み出されたライン方向比較結果は不一致を示し、カラム方向比較結果は一致を示している。このため、表示画像データ記憶装置２１７から読み出すべき表示画像データとしては、１カラム前の表示画像データと同じ表示画像データであるが、１カラム前のＴ３７では表示画像データ記憶装置２１７からの読み出し動作を停止している。従って、表示画像データ記憶装置２１７から表示画像データを再度、読み出す必要がある。このため、表示画像データ記憶装置制御部２１６は、表示画像データ記憶装置２１７から表示画像データを読み出し、記憶装置読み出し表示用画像データ２３２の更新を行う。図５に示す取込ラッチ群２２４は、読み出し用ライン方向比較結果信号群３２３を用いて、記憶装置読み出し表示用画像データ２３２を比較結果用セレクタ群２２３で選択し、取込ラッチタイミング３１４に従ってラッチ動作を行う。換言すると、Ｔ３８においては、表示画像データ記憶装置制御部２１６から表示画像データ記憶装置２１７に対して表示画像データを読み出す「第１動作１」を行う。
【００８６】
表示画像データ記憶装置を有する液晶表示制御回路においては、表示画像データ記憶装置に対して読み出しを行う際に生じる電流や読み出した表示画像データをデータラッチ部へ転送する際に生じる電流が大きく、低消費電力化をする上で削減が強く求められていた。とりわけ、液晶ドライバの形状は、通常、長方形形状であるため、表示画像データ記憶装置からデータラッチ部までの表示画像データ転送のためのバス配線長が長くなり、転送する表示画像データがハイからロウ、またはロウからハイへ変化する毎に、バス配線容量の充放電電流が多く生じてしまう。
【００８７】
本実施形態によれば、記憶装置読み出し表示モードに、上記第１動作１〜第３動作３のパターンを設けているので、表示画像データ記憶装置からデータラッチ部までの表示画像データ転送動作を少なくすることができる。これにより、表示画像データ記憶装置に対して読み出しを行う際に生じる電流や、読み出した表示画像データをデータラッチ部へ転送する際に生じる電流を削減できる。その結果、低消費電流化を実現することができる。
【００８８】
より具体的には、ライン方向の比較結果が一致した場合には、データラッチ部に保持されている１ライン前に表示した表示画像データを再度表示する第２動作２を行う。このため、表示画像データ記憶装置２１７に対する読み出し動作である第１動作１を停止できる。その結果、消費電力を削減することができる。
【００８９】
また、ライン方向の比較結果が不一致でカラム方向の比較結果が一致の場合であって、かつ、１カラム前に読み出した表示画像データが表示画像データ記憶装置制御部２１６に保持されている場合には、表示画像データ記憶装置制御部２１６に保持されている１読み出し前の表示画像データをデータラッチ部２２１に取り込む第３動作３を行う。このため、表示画像データ記憶装置２１７に対する読み出し動作である第１動作１を停止できる。その結果、消費電力を削減することができる。
【００９０】
しかも、第２動作２においては、表示画像データ記憶装置制御部２１６からデータラッチ部２２１までの表示画像データ転送バスのハイからロウ、またはロウからハイへの変化が抑えられる。その結果、表示制御回路のＥＭＩノイズを低減することができる。
【００９１】
さらに、表示画像データ記憶装置に格納された表示画像データの読み出し動作や転送動作を所定の条件を満たした場合に限定しているので、電流消費を低減させることができる。
【００９２】
なお、本実施形態における表示制御回路の回路構成は、一例であって、本発明の趣旨を逸脱しない範囲において種々の変形が可能である。また、本実施形態においては、表示制御回路を液晶表示装置に適用する例について述べたが、ＥＬ表示装置やプラズマディスプレイ装置等の表示装置にも適用可能である。表示制御回路の消費電力を軽減し、省電力化を図ることができるので、表示装置を備えた携帯電話などの小型通信機器などの分野において特に好適に適用することができる。
【符号の説明】
【００９３】
１      第１動作
２      第２動作
３      第３動作
１０    通常表示モード
２０    記憶装置読み出し表示モード
２０１  液晶ドライバ
２０２  液晶パネル
２０３  ゲートドライバ
２０４  ＭＰＵ
２１１  ＭＰＵインターフェース
２１２  レジスタ制御部
２１３  アドレス制御部
２１４  外部表示インターフェース
２１５  表示タイミング制御部
２１６  表示画像データ記憶装置制御部
２１７  表示画像データ記憶装置
２１８  比較器
２１９  比較結果記憶装置制御部
２２０  比較結果記憶装置
２２１  データラッチ部
２２２  モード切替用セレクタ群
２２３  比較結果用セレクタ群
２２４  取込ラッチ群
２２５  同期化ラッチ群
２２６  ソース線駆動部（ＤＡＣ）
２３１  通常表示用画像データ
２３２  記憶装置読み出し表示用画像データ
２３３  表示モード信号
２３５  取込ラッチ信号群
２３６  同期化ラッチ信号
２３７  データラッチ部ユニット単位
２３８  取込ラッチ済表示画像データ
２３９  記憶装置読み出し表示用画像データラッチ信号
２４２  １読み出し単位の表示画像データ
２５１  表示画像データ記憶装置（Ｃ２、Ｌ１）アドレスのビット構成
２５２  表示画像データ記憶装置（Ｃ２、Ｌ２）アドレスのビット構成
２５３  ライン方向の各ビット比較結果
２５４  ライン方向の全ビット比較結果
２５５  ライン方向比較結果記憶装置
２５６  ライン方向比較結果記憶単位
２６１  表示画像データ記憶装置（Ｃ２、Ｌ２）アドレスのビット構成
２６２  表示画像データ記憶装置（Ｃ３、Ｌ２）アドレスのビット構成
２６３  カラム方向の各ビット比較結果
２６４  カラム方向の全ビット比較結果
２６５  カラム方向比較結果記憶装置
２６６  カラム方向比較結果記憶単位
２７１  比較結果ライトモード
２７２  比較結果リードモード
３０１  コマンド
３０２  表示画像データ記憶装置更新状態
３０４  垂直同期フラグ
３０５  記憶装置制御モード
３１１  表示画像データリード信号
３１２  アドレス信号
３１４  取込ラッチタイミング
３１５  書き込み用ライン方向比較結果信号群
３１６  書き込み用カラム方向比較結果信号群
３２１  比較結果ライト信号
３２２  比較結果リード信号
３２３  読み出し用ライン方向比較結果信号群
３２４  読み出し用カラム方向比較結果信号群
【図１】
2011209601.tif 000003
【図２】
2011209601.tif 000004
【図３Ａ】
2011209601.tif 000005
【図３Ｂ】
2011209601.tif 000006
【図４Ａ】
2011209601.tif 000007
【図４Ｂ】
2011209601.tif 000008
【図５】
2011209601.tif 000009
【図６】
2011209601.tif 000010
【図７】
2011209601.tif 000011
【図８】
2011209601.tif 000012
【図９】
2011209601.tif 000013
【図１０】
2011209601.tif 000014
【図１１】
2011209601.tif 000015